(57)【要約】【課題】ドリフト無線ネットワーク制御装置が、関連セルがアップリンク高次変調をサポートするか否かを報告するアップリンク高次変調に対するセルのサポート能力の報告方法及びその装置が提供されること。【解決手段】該方法は、ドリフト無線ネットワーク制御装置が、サービス無線ネットワーク制御装置からの請求メッセージを受信した後、シグナリングによりサービス無線ネットワーク制御装置にアップリンク高次変調に対する関連セルのサポート能力情報を報告するステップを含む。よって、本発明によると、サービス無線ネットワーク制御装置がユーザ機器にアップリンク高次変調方法を採用するか否かを決定することに参与できるように情報を取得する。【選択図】図１
2010521898.tif 000002
【特許請求の範囲】
【請求項１】
ドリフト無線ネットワーク制御装置が、関連セルがアップリンク高次変調をサポートするか否かを報告する方法であって、
前記ドリフト無線ネットワーク制御装置が、サービス無線ネットワーク制御装置からの請求メッセージを受信した後、シグナリングにより前記サービス無線ネットワーク制御装置に、前記アップリンク高次変調に対する前記関連セルのサポート能力の情報を報告するステップを含むことを特徴とするアップリンク高次変調に対するセルのサポート能力の報告方法。
【請求項２】
請求項１において、
前記請求メッセージは、無線リンク確立請求メッセージと無線リンク追加請求メッセージの何れか一つを含むことを特徴とする方法。
【請求項３】
請求項２において、
前記シグナリングは、無線リンク確立応答メッセージ、無線リンク確立失敗メッセージ、無線リンク追加応答メッセージ、無線リンク追加失敗メッセージの何れか一つ又はその組合せを含むことを特徴とする方法。
【請求項４】
請求項３において、
前記ドリフト無線ネットワーク制御装置が前記無線リンク確立請求メッセージ又は前記無線リンク追加請求メッセージを受信し、一つ又は複数の必要なリンクを成功に確立又は追加した場合、前記サービス無線ネットワーク制御装置に送信する前記無線リンク確立応答メッセージ又は前記無線リンク追加応答メッセージに前記アップリンク高次変調に対する前記関連セルのサポート能力の情報を重ねることを特徴とする方法。
【請求項５】
請求項３において、
前記ドリフト無線ネットワーク制御装置が前記無線リンク確立請求メッセージ又は前記無線リンク追加請求メッセージを受信して、複数のリンクの中の一部は成功に確立又は追加され、他の一部の確立又は追加が失敗した場合、前記サービス無線ネットワーク制御装置に送信する前記無線リンク確立失敗メッセージ又は前記無線リンク追加失敗メッセージに前記アップリンク高次変調に対する前記関連セルのサポート能力の情報を重ねることを特徴とする方法。
【請求項６】
請求項１乃至５の何れか一項において、
前記関連セルは、前記ドリフト無線ネットワーク制御装置が前記請求メッセージの後にリンクを成功に確立又は追加した隣接するセルであり、前記関連セルは一つ又は複数のセルを含むことを特徴とする方法。
【請求項７】
請求項１乃至５の何れか一項において、
前記シグナリングによる報告は、既存信号（Ｃｅｌｌ）のセル能力収容器の値にアップリンク高次変調に対するサポート能力を示す情報を追加することによって実現されることを特徴とする方法。
【請求項８】
請求項７において、
前記アップリンク高次変調のサポート能力は、ビット位で示しており、「０」はアップリンク高次変調をサポートしないことを示し、「１」はアップリンク高次変調をサポートすることを示すことを特徴とする方法。
【請求項９】
請求項１乃至５の何れか一項において、
前記アップリンク高次変調のサポート能力の情報は、拡張されたセル能力情報を追加することによって前記アップリンク高次変調のサポート能力を示すことを特徴とする方法。
【請求項１０】
請求項９において、
前記アップリンク高次変調のサポート能力情報の表示方法はサポート指示又は非サポート指示によって実現することを特徴とする方法。
【請求項１１】
請求項１において、
前記アップリンク高次変調のサポート能力は、アップリンク１６ＱＡＭのサポート能力、６４ＱＡＭのサポート能力、０ＱＡＭのサポート能力、１６ＱＡＭ及びその以下の全ての変調方式のサポート能力、６４ＱＡＭ及びその以下の全ての変調方式のサポート能力、０ＱＡＭ及びその以下の全ての変調方式のサポート能力の何れか一つ又はその組合せを含むことを特徴とする方法。
【請求項１２】
ドリフト無線ネットワーク制御装置が、関連セルがアップリンク高次変調をサポートするか否かを報告する装置であって、
サービス無線ネットワーク制御装置からの請求メッセージを受信した後、シグナリングにより前記サービス無線ネットワーク制御装置に、前記アップリンク高次変調に対する前記関連セルのサポート能力の情報を報告する報告ユニットを含むことを特徴とするアップリンク高次変調に対するセルのサポート能力を報告する装置。
【請求項１３】
請求項１２において、
前記請求メッセージは、無線リンク確立請求メッセージと無線リンク追加請求メッセージの何れか一つを含み、
前記シグナリングは、無線リンク確立応答メッセージ、無線リンク確立失敗メッセージ、無線リンク追加応答メッセージ、無線リンク追加失敗メッセージの何れか一つ又はその組合せを含むことを特徴とする装置。
【請求項１４】
請求項１３において、
前記ドリフト無線ネットワーク制御装置が前記無線リンク確立請求メッセージ又は前記無線リンク追加請求メッセージを受信し、一つ又は複数の必要なリンクを成功に確立又は追加した場合、前記報告ユニットは、前記サービス無線ネットワーク制御装置に送信する前記無線リンク確立応答メッセージ又は前記無線リンク追加応答メッセージに前記アップリンク高次変調に対する前記関連セルのサポート能力の情報を重ねることを特徴とする装置。
【請求項１５】
請求項１３において、
前記ドリフト無線ネットワーク制御装置が前記無線リンク確立請求メッセージ又は前記無線リンク追加請求メッセージを受信して、複数のリンクの中の一部は成功に確立又は追加され、他の一部の確立又は追加が失敗した場合、前記報告ユニットは、前記サービス無線ネットワーク制御装置に送信する前記無線リンク確立失敗メッセージ又は前記無線リンク追加失敗メッセージに前記アップリンク高次変調に対する前記関連セルのサポート能力の情報を重ねることを特徴とする装置。
【請求項１６】
請求項１２乃至１５の何れか一項において、
前記関連セルは、前記ドリフト無線ネットワーク制御装置が前記請求メッセージの後にリンクを成功に確立又は追加した隣接するセルであり、前記関連セルは一つ又は複数のセルを含むことを特徴とする装置。
【請求項１７】
請求項１２乃至１５の何れか一項において、
前記シグナリングによる報告は、既存信号（Ｃｅｌｌ）のセル能力収容器の値にアップリンク高次変調に対するサポート能力を示す情報を追加することによって実現され、
前記アップリンク高次変調のサポート能力は、ビット位で示しており、「０」はアップリンク高次変調をサポートしないことを示し、「１」はアップリンク高次変調をサポートすることを示すことを特徴とする装置。
【請求項１８】
請求項１２乃至１５の何れか一項において、
前記アップリンク高次変調のサポート能力の情報は、拡張されたセル能力情報を追加することによって前記アップリンク高次変調のサポート能力を示し、
前記アップリンク高次変調のサポート能力情報の表示方法はサポート指示又は非サポート指示によって実現することを特徴とする装置。
【請求項１９】
請求項１２において、
前記アップリンク高次変調のサポート能力は、アップリンク１６ＱＡＭのサポート能力、６４ＱＡＭのサポート能力、０ＱＡＭのサポート能力、１６ＱＡＭ及びその以下の全ての変調方式のサポート能力、６４ＱＡＭ及びその以下の全ての変調方式のサポート能力、０ＱＡＭ及びその以下の全ての変調方式のサポート能力の何れか一つ又はその組合せを含むことを特徴とする装置。
【発明の詳細な説明】
【技術分野】
【０００１】
本発明は、無線通信システムに関し、より具体的には、ドリフト無線ネットワーク制御装置は、自分の管轄下にある関連セルがアップリンク高次変調をサポートするか否かを報告する、アップリンク高次変調に対するセルのサポート能力の報告方法及びその装置に関する。
【背景技術】
【０００２】
アクセスネットワークは、一つ又は複数の無線ネットワークサブシステムを含む。各無線ネットワークサブシステムは、いずれもアクセスネットワークにおける一つのサブネットワークであって、一つの無線ネットワーク制御装置と一つ又は複数のノードＢを含む。無線ネットワーク制御装置は、アクセスネットワークの無線資源を制御するネットワークエレメントである。ノードＢの主な機能はエアーインタフェースの物理層の処理を行うことであるが、基本的な無線資源の管理作業も行っている。
【０００３】
ユーザ機器と複数の無線ネットワーク制御装置との間に通信関係が確立された時、異なる無線ネットワーク制御の間にＩｕｒインタフェースを介して接続されると、当該ユーザ機器とコアーネットワークとの間のやり取りを担う無線ネットワーク制御装置をサービス無線ネットワーク制御装置と称し、コアーネットワークとのやり取りがなく、該ユーザ機器のシグナリングとデータの転送を担う無線ネットワーク制御装置をドリフト無線ネットワーク制御装置と称する。また、ドリフト無線ネットワーク制御装置は、自分の管轄下にあるノードＢ下のセルのサポート能力をサービス無線ネットワーク制御装置に伝達する。
【０００４】
従来システム技術の好適化において、ユーザの体験品質及びシステムのスループットを向上するためにエイチエスユーピーエー（Ｈｉｇｈ  Ｓｐｅｅｄ  Ｕｐｌｉｎｋ  Ｐａｃｋｅｔ  Ａｃｃｅｓｓ)技術は絶え間なく発展して、現在、既に１６ＱＡＭの高次変調形態を導入した。
【０００５】
このように、当該技術はシステムに新しく導入されたものであるため、新規のノードＢの機器類型のみが当該技術をサポート可能であり、従来のノードＢの機器類型は当該技術をサポートすることが不可能である。当該技術をサポートする端末を見ると、当該技術をサポートできるノードＢの配合を得なければ、当該技術の機能を正常に利用することができない。アクセスネットワーク側が当該技術を利用するか否かを決定する際、正確に決定するように、後方互換性を考えることが必要であり、ノードＢが当該技術を利用できるか否かを区別することも必要である。
【０００６】
従って、上記の課題を解決するように、ドリフト無線ネットワーク制御装置が自分の管轄下にある関連セルがアップリンク高次変調をサポートするか否かを報告するアップリンク高次変調に対するセルのサポート能力の報告方法及びその装置が必要となる。
【発明の概要】
【発明が解決しようとする課題】
【０００７】
従って、上述した問題を解決するため、本発明は、ドリフト無線ネットワーク制御装置が自分の管轄下にある関連セルがアップリンク高次変調をサポートするか否かを報告する方法及び装置であって、サービス無線ネットワーク制御装置が情報を取得してユーザ機器にアップリンク高次変調方法を採用するか否かを決定するに参与するように、ドリフト無線ネットワーク制御装置によって自分の管轄下にあるセルがアップリンク高次変調をサポートするか否かをサービス無線ネットワーク制御装置に報告する方法及び装置を提供する。
【課題を解決するための手段】
【０００８】
本発明の一態様において、ドリフト無線ネットワーク制御装置が、関連セルがアップリンク高次変調をサポートするか否かを報告する方法であって、ドリフト無線ネットワーク制御装置が、サービス無線ネットワーク制御装置からの請求メッセージを受信した後、シグナリングによりサービス無線ネットワーク制御装置にアップリンク高次変調に対する関連セルのサポート能力の情報を報告するステップを含むアップリンク高次変調に対するセルのサポート能力の報告方法を提供する。
【０００９】
この中、請求メッセージは、無線リンク確立請求メッセージと無線リンク追加請求メッセージの何れか一つを含むことができる。シグナリングは、無線リンク確立応答メッセージ、無線リンク確立失敗メッセージ、無線リンク追加応答メッセージ、無線リンク追加失敗メッセージの何れか一つ又はその組合せを含むことができる。
【００１０】
本発明の一態様によると、ドリフト無線ネットワーク制御装置が無線リンク確立請求メッセージ又は無線リンク追加請求メッセージを受信し、一つ又は複数の必要なリンクを成功に確立又は追加した場合、サービス無線ネットワーク制御装置に送信する無線リンク確立応答メッセージ又は無線リンク追加応答メッセージにアップリンク高次変調に対する関連セルのサポート能力の情報を重ねる。
【００１１】
選択的に、ドリフト無線ネットワーク制御装置が無線リンク確立請求メッセージ又は無線リンク追加請求メッセージを受信して、複数のリンクの中の一部は成功に確立又は追加され、他の一部の確立又は追加が失敗した場合、サービス無線ネットワーク制御装置に送信する無線リンク確立失敗メッセージ又は無線リンク追加失敗メッセージにアップリンク高次変調に対する関連セルのサポート能力の情報を重ねてもよい。
【００１２】
本発明の一態様によると、関連セルは、ドリフト無線ネットワーク制御装置が上記請求メッセージの後にリンクを成功に確立又は追加した隣接するセルであり、関連セルは一つ又は複数のセルを含む。シグナリングによる報告は、既存信号（Ｃｅｌｌ）のセル能力収容器の値（Ｖａｌｕｅ）にアップリンク高次変調に対するサポート能力を示す情報を追加することによって実現される。
【００１３】
また、本発明の一態様によると、アップリンク高次変調のサポート能力は、ビット位で示すことができ、「０」はアップリンク高次変調をサポートしないことを示し、「１」はアップリンク高次変調をサポートすることを示す。アップリンク高次変調のサポート能力の情報は、拡張されたセル能力情報を追加することによってアップリンク高次変調のサポート能力を示す。アップリンク高次変調のサポート能力情報の表示方法はサポート指示又は非サポート指示によって実現できる。
【００１４】
本発明の一態様によると、アップリンク高次変調のサポート能力は、アップリンク１６ＱＡＭのサポート能力、６４ＱＡＭのサポート能力、０ＱＡＭのサポート能力、１６ＱＡＭ及びその以下の全ての変調方式のサポート能力、６４ＱＡＭ及びその以下の全ての変調方式のサポート能力、０ＱＡＭ及びその以下の全ての変調方式のサポート能力の何れか一つ又はその組合せを含むことができる。
【００１５】
本発明の他の一態様において、ドリフト無線ネットワーク制御装置が関連セルがアップリンク高次変調をサポートするか否かを報告する装置であって、サービス無線ネットワーク制御装置からの請求メッセージを受信した後、シグナリングによりサービス無線ネットワーク制御装置に、アップリンク高次変調に対する関連セルのサポート能力の情報を報告する報告ユニットを含むアップリンク高次変調に対するセルのサポート能力を報告する装置を提供する。
【００１６】
ここで、請求メッセージは、無線リンク確立請求メッセージと無線リンク追加請求メッセージの何れか一つを含むことができる。シグナリングは、無線リンク確立応答メッセージ、無線リンク確立失敗メッセージ、無線リンク追加応答メッセージ、無線リンク追加失敗メッセージの何れか一つ又はその組合せを含むことができる。
【００１７】
本発明の他の一態様によると、ドリフト無線ネットワーク制御装置が無線リンク確立請求メッセージ又は無線リンク追加請求メッセージを受信し、一つ又は複数の必要なリンクを成功に確立又は追加した場合、報告ユニットは、サービス無線ネットワーク制御装置に送信する無線リンク確立応答メッセージ又は無線リンク追加応答メッセージにアップリンク高次変調に対する関連セルのサポート能力の情報を重ねる。
【００１８】
本発明の他の一態様によると、ドリフト無線ネットワーク制御装置が無線リンク確立請求メッセージ又は無線リンク追加請求メッセージを受信して、複数のリンクの中の一部は成功に確立又は追加され、他の一部の確立又は追加が失敗した場合、報告ユニットは、サービス無線ネットワーク制御装置に送信する無線リンク確立失敗メッセージ又は無線リンク追加失敗メッセージにアップリンク高次変調に対する関連セルのサポート能力の情報を重ねる。
【００１９】
本発明の他の一態様によると、関連セルは、ドリフト無線ネットワーク制御装置が上記請求メッセージの後にリンクを成功に確立又は追加した隣接するセルであり、関連セルは一つ又は複数のセルを含む。
【００２０】
また、シグナリングによる報告は、既存信号（Ｃｅｌｌ）のセル能力収容器の値（Ｖａｌｕｅ）にアップリンク高次変調に対するサポート能力を示す情報を追加することによって実現される。アップリンク高次変調のサポート能力は、ビット位で示すことができ、「０」はアップリンク高次変調をサポートしないことを示し、「１」はアップリンク高次変調をサポートすることを示す。
【００２１】
アップリンク高次変調のサポート能力の情報は、拡張されたセル能力情報を追加することによってアップリンク高次変調のサポート能力を示す。アップリンク高次変調のサポート能力情報の表示方法はサポート指示又は非サポート指示によって実現できる。
【００２２】
本発明の他の一態様によると、アップリンク高次変調のサポート能力は、アップリンク１６ＱＡＭのサポート能力、６４ＱＡＭのサポート能力、０ＱＡＭのサポート能力、１６ＱＡＭ及びその以下の全ての変調方式のサポート能力、６４ＱＡＭ及びその以下の全ての変調方式のサポート能力、０ＱＡＭ及びその以下の全ての変調方式のサポート能力からなる群より選ばれる一つ又はその組合せを含むことができる。
【００２３】
従って、本発明に提供されたドリフト無線ネットワーク制御装置がアップリンク高次変調に対する自分の管轄下にあるセルのサポート能力を報告する方法及び装置は、サービス無線ネットワーク制御装置が情報を取得してユーザ機器にアップリンク高次変調方法を採用するか否かを決定するに参与するように、ドリフト無線ネットワーク制御装置によって自分の管轄下にあるセルがアップリンク高次変調をサポートするか否かをサービス無線ネットワーク制御装置に報告する。
【００２４】
本発明の他の特徴及びメリットは後の明細書に述べられ、また、明細書における記載内容によって更に明らかになり、又は本発明を実施することによって更に理解できる。本発明の目的及び他のメリットは、明細書と、特許請求の範囲と図面にて特別に指摘された構造によって実現及び取得できる。
【図面の簡単な説明】
【００２５】
【図１】本発明の第１の実施例によるアップリンク高次変調に対するセルのサポート能力を報告する方法の相互作用図である。
【図２】本発明の第２の実施例によるアップリンク高次変調に対するセルのサポート能力を報告する方法の相互作用図である。
【図３】本発明によるアップリンク高次変調に対するセルのサポート能力を報告する装置のブロック図である。
【発明を実施するための形態】
【００２６】
以下、本発明の好適な実施例について、添付図面を参照して説明する。なお、ここで説明する好適な実施例は本発明への説明及び解釈に用いられるだけで、本発明を限定するものではない。
【００２７】
本発明は、ドリフト無線ネットワーク制御装置が自分の管轄下にあるセルがアップリンク高次変調をサポートするか否かを報告する方法及び装置であって、サービス無線ネットワーク制御装置が情報を取得してユーザ機器に対してアップリンク高次変調方法を採用するか否かを決定することに参与するように、ドリフト無線ネットワーク制御装置によって自分の管轄下にあるセルがアップリンク高次変調をサポートするか否かをサービス無線ネットワーク制御装置に報告する方法及び装置を提供することを目的とする。
【００２８】
本発明に係わるアップリンク高次変調に対するセルのサポート能力の報告方法は、ドリフト無線ネットワーク制御装置がシグナリングにより、アップリンク高次変調に対する関連セルのサポート能力を報告する一つのステップを含む方法である。具体的に、ドリフト無線ネットワーク制御装置は、サービス無線ネットワーク制御装置からの請求メッセージを受信した後、シグナリングにより、アップリンク高次変調に対する関連セルのサポート能力の情報をサービス無線ネットワーク制御装置に報告する。
【００２９】
ここで言うシグナリングは、
（１）無線リンク確立請求メッセージによってトリガーされる無線リンク確立応答メッセージと、
（２）無線リンク追加請求メッセージによってトリガーされる無線リンク追加応答メッセージと、
（３）無線リンク確立請求メッセージによってトリガーされる無線リンク確立失敗メッセージと、
（４）無線リンク追加請求メッセージによってトリガーされる無線リンク追加失敗メッセージの中の何れか１つである。
【００３０】
関連セルとは、ドリフト無線ネットワーク制御装置が上記請求メッセージの後に成功にリンク確立又は追加した隣接するセルを指し、隣接するセルの数は一つ又は複数であることができる。
【００３１】
ドリフト無線ネットワーク制御装置が無線リンク確立又は無線リンク追加請求メッセージを受信した際、確立すべき一つ又は複数のリンクを全て成功に確立すると、無線リンク確立応答メッセージ又は無線リンク追加応答メッセージにリンクを成功に確立又は追加した隣接するセルの情報を重ねる。
【００３２】
また、ドリフト無線ネットワーク制御装置が無線リンク確立又は無線リンク追加請求メッセージを受信した際、メッセージにおいて、複数の無線リンクの確立又は追加が要求されていて、その一部のリンクの確立又は追加が成功し、もう一部のリンクの確立又は追加が失敗した場合、無線リンク確立失敗又は無線リンク追加失敗メッセージにリンク確立又はリンク追加が成功した隣接するセルの情報を重ねることもできる。
【００３３】
アップリンク高次変調方式は、１６ＱＡＭ、又は６４ＱＡＭ、又は０ＱＡＭの変調方式を指す。
【００３４】
この他、以下の方法によって高次変調をサポートするか否かの情報を示すことができる：
一、既存信号（Ｃｅｌｌ）の「セル能力収容器」の値（Ｖａｌｕｅ）にアップリンク１６ＱＡＭのサポート能力、及び／又は６４ＱＡＭのサポート能力、及び／又は０ＱＡＭのサポート能力を追加して、ビット位で示すが、「０」はサポートしないことを示し、「１」はサポートすることを示し；
二、既存信号（Ｃｅｌｌ）の「セル能力収容器」の値（Ｖａｌｕｅ）にアップリンク１６ＱＡＭのサポート能力、及び／又は６４ＱＡＭ及びその以下の全ての変調方式のサポート能力、及び／又は０ＱＡＭ及びその以下の全ての変調方式のサポート能力を追加して、ビット位で示すが、「０」はサポートしないことを示し、「１」はサポートすることを示し；
三、既存信号（Ｃｅｌｌ）の「セル能力収容器」の値（Ｖａｌｕｅ）にアップリンク１６ＱＡＭ及びその以下の全ての変調方式のサポート能力、及び／又は６４ＱＡＭ及びその以下の全ての変調方式のサポート能力、及び／又は０ＱＡＭ及びその以下の全ての変調方式のサポート能力を追加して、ビット位で示すが、「０」はサポートしないことを示し、「１」はサポートすることを示し、又は
四、拡張されたセル能力情報を追加する。
【００３５】
ここで、高次変調に対するセル能力情報のサポート情報を以下の形態で示す：
（１）１６ＱＡＭのサポート指示、及び／又は６４ＱＡＭのサポート指示、及び／又は０ＱＡＭのサポート指示と；
（２）１６ＱＡＭのサポート指示、及び／又は６４ＱＡＭ及びその以下の全ての変調方式のサポート指示、及び／又は０ＱＡＭ及びその以下の全ての変調方式のサポート指示と、
（３）１６ＱＡＭ及びその以下の全ての変調方式のサポート指示、及び／又は６４ＱＡＭ及びその以下の全ての変調方式のサポート指示、及び／又は０ＱＡＭ及びその以下の全ての変調方式のサポート指示。
【００３６】
図１は、本発明の第１の実施例によるアップリンク高次変調に対するセルのサポート能力を報告する方法の相互作用図であり、図２は、本発明の第２の実施例によるアップリンク高次変調に対するセルのサポート能力を報告する方法の相互作用図である。以下、図１、図２を参照して本発明のアップリンク高次変調に対するセルのサポート能力を報告する方法について詳しく説明する。
【００３７】
第１の実施例
図１は、本発明の第１の実施例によるアップリンク高次変調に対するセルのサポート能力を報告する方法の相互作用図である。図１に示すように、リンクを成功に確立又は追加するプロセスによって、ドリフト無線ネットワーク制御装置が自分の管轄下にあるセルがアップリンク高次変調をサポートする能力を報告する方法を提供する。
【００３８】
該方法は、
サービス無線ネットワーク制御装置がドリフト無線ネットワーク制御装置に無線リンク確立請求又は無線リンク追加請求メッセージを送信するステップＳ１１０と、
ドリフト無線ネットワーク制御装置が、確立又は追加すべき全てのリンクを成功に確立又は追加した場合、リンクを成功に確立した隣接するセルのアップリンク１６ＱＡＭサポート能力情報が重ねされた無線リンク確立応答又は無線リンク追加応答メッセージをサービスネットワーク制御装置に送信するステップＳ１２０と、を含む。
【００３９】
第２の実施例
図２は、本発明の第２の実施例によるアップリンク高次変調に対するセルのサポート能力を報告する方法の相互作用図である。図２に示すように、リンクを成功に確立又は追加できなかったプロセスによって、ドリフト無線ネットワークが自分の管轄下にあるセルがアップリンク高次変調をサポートする能力を報告する方法を提供する。
該方法は、
サービス無線ネットワーク制御装置がドリフト無線ネットワーク制御装置に無線リンク確立請求又は無線リンク追加請求メッセージを送信するステップＳ２１０と、
ドリフト無線ネットワーク制御装置が、確立又は追加すべきリンクの一部を成功に確立又は追加した場合、リンクを成功に確立した隣接するセルのアップリンク１６ＱＡＭサポート能力情報が重ねされた無線リンク確立失敗又は無線リンク追加失敗メッセージをサービス無線ネットワーク制御装置に送信するステップＳ２２０と、を含む。
【００４０】
図３は、本発明によるアップリンク高次変調に対するセルのサポート能力を報告する装置３００のブロック図である。図３に示すように、該装置は、サービス無線ネットワーク制御装置からの請求メッセージを受信した後、シグナリングによりサービス無線ネットワーク制御装置にアップリンク高次変調に対する関連セルのサポート能力の情報を報告する報告ユニット３０２を含む。
【００４１】
この中、請求メッセージは、無線リンク確立請求メッセージと無線リンク追加請求メッセージの中の何れか一つを含むことができる。シグナリングは、無線リンク確立応答メッセージ、無線リンク確立失敗メッセージ、無線リンク追加応答メッセージ、無線リンク追加失敗メッセージの中の何れか一つを含むことができる。
【００４２】
ドリフト無線ネットワーク制御装置が無線リンク確立請求メッセージ又は無線リンク追加請求メッセージを受信し、必要な一つ又は複数のリンクを成功に確立又は追加した場合、報告ユニットは、サービス無線ネットワーク制御装置に送信する無線リンク確立応答メッセージ又は無線リンク追加応答メッセージにアップリンク高次変調に対する関連セルのサポート能力の情報を重ねる。
【００４３】
ドリフト無線ネットワーク制御装置が無線リンク確立請求メッセージ又は無線リンク追加請求メッセージを受信して、且つ、複数のリンクの一部の確立又は追加が成功し、もう一部のリンクの確立又は追加が失敗した場合、報告ユニットは、サービス無線ネットワーク制御装置に送信する無線リンク確立失敗メッセージ又は無線リンク追加失敗メッセージにアップリンク高次変調に対する関連セルのサポート能力の情報を重ねる。
【００４４】
この中、関連セルは、ドリフト無線ネットワーク制御装置が上記請求メッセージの後に、リンクを成功に確立又は追加した隣接するセルであり、関連セルは一つ又は複数セルを含む。
【００４５】
また、シグナリングによる報告は、既存信号（Ｃｅｌｌ）のセル能力収容器の値（Ｖａｌｕｅ）にアップリンク高次変調のサポート能力を示す情報を追加することによって実現される。アップリンク高次変調に対するサポート能力はビット位で示すことができ、「０」はアップリンク高次変調をサポートしないことを示し、「１」はアップリンク高次変調をサポートすることを示す。
【００４６】
アップリンク高次変調のサポート能力の情報は、拡張されたセル能力情報を追加することによってアップリンク高次変調のサポート能力を示す。アップリンク高次変調のサポート能力情報の表示方法はサポート指示又は非サポート指示によって実現される。
【００４７】
アップリンク高次変調のサポート能力は、アップリンク１６ＱＡＭのサポート能力、６４ＱＡＭのサポート能力、０ＱＡＭのサポート能力、１６ＱＡＭ及びその以下の全ての変調方式のサポート能力、６４ＱＡＭ及びその以下の全ての変調方式のサポート能力、０ＱＡＭ及びその以下の全ての変調方式のサポート能力の何れか一つ又はその組合せを含むことができる。
【００４８】
総じて言えば、本発明のドリフト無線ネットワーク制御装置がアップリンク高次変調に対する自分の管轄下にあるセルのサポート能力を報告する方法及び装置は、サービス無線ネットワーク制御装置が情報を取得してユーザ機器にアップリンク高次変調方法を採用するか否かを決定することに参与するように、ドリフト無線ネットワーク制御装置によって自分の管轄下にあるセルがアップリンク高次変調をサポートするか否かをサービス無線ネットワーク制御装置に報告する。
【００４９】
上記の内容は、本発明の好適な実施例だけであり、本発明を限定するためのものではない。当業者にとって、本発明に対して様様な変更と変化を行うことができる。本発明の目的と原則の範囲内に入っている限り、行った如何なる修正、同等の取り替え、又は改良などが、全て本発明の保護範囲に含まれるべきである。
【図１】
2010521898.tif 000003
【図２】
2010521898.tif 000004
【図３】
2010521898.tif 000005
【国際調査報告】
2010521898.tif 000006
2010521898.tif 000007
2010521898.tif 000008
2010521898.tif 000009